(57)【要約】【課題】コネクタ部間が斜め挿入された場合でも、できるだけ低挿入力でコネクタ部を挿入できるコネクタを提供する。【解決手段】第１端子５を収容する複数の第１サブハウジング４と、周壁７で囲まれた複数のサブハウジング収容室８を有する第１メインハウジング３と、第２端子３０を収容する第２ハウジング２１とを備え、複数の第１サブハウジング４が固定された第１メインハウジング３と第２ハウジング２１との嵌合状態では、第２ハウジング２１のサブハウジング嵌合部２２が第１サブハウジング４の相手ハウジング嵌合室１０に嵌合し、第１端子５と第２端子３０がバネ変形によって接続されるコネクタ１Ａであって、第１メインハウジング３のサブハウジング収容室８を形成する周壁７で、且つ、サブハウジング嵌合部２２の進入側の少なくとも１面側を切り欠いた。【選択図】図７
2015049964.tif 000002
【特許請求の範囲】
【請求項１】
相手ハウジング嵌合室を有し、 前記相手ハウジング嵌合室に第１端子が配置された複数の第１サブハウジングと、
周壁で囲まれた複数のサブハウジング収容室を有し、前記各サブハウジング収容室に前記各第１サブハウジングが収容された第１メインハウジングと、
前記第１サブハウジングの前記各相手ハウジング嵌合室に嵌合可能な複数のサブハウジング嵌合部を有し、前記各サブハウジング嵌合部内に第２端子が収容された第２ハウジングとを備え、
複数の前記第１サブハウジングが固定された前記第１メインハウジングと前記第２ハウジングとの嵌合状態では、前記サブハウジング嵌合部が前記第１サブハウジングの相手ハウジング嵌合室に嵌合し、前記第１端子と前記第２端子がバネ変形によって接続されるコネクタであって、
前記第１メインハウジングの前記サブハウジング収容室を形成する前記周壁で、且つ、前記第２ハウジングの前記サブハウジング嵌合部の進入側の少なくとも１面側を切り欠いたことを特徴とするコネクタ。
【請求項２】
請求項１記載のコネクタであって、
前記周壁の切り欠き面は、前記第１端子と前記第２端子の接触時のバネ変形量を軽減する方向の面であることを特徴とするコネクタ。
【請求項３】
請求項１又は請求項２に記載のコネクタであって、
前記第１メインハウジングの複数の前記サブハウジング収容室は、前記周壁を共有することにより隣り合って配置され、複数の前記サブハウジング収容室を形成する前記周壁の内で外側に位置する面を形成するものを切り欠いたことを特徴とするコネクタ。
【請求項４】
請求項１〜請求項３のいずれかに記載のコネクタであって、
前記サブハウジング嵌合部の進入側の内で切り欠かなかった前記周壁と前記第１サブハウジングには、前記第１サブハウジングの進入を許容し、且つ、前記第１サブハウジングの許容傾斜範囲でのみ傾斜を許容する過剰傾斜規制手段が設けられたことを特徴とするコネクタ。
【発明の詳細な説明】
【技術分野】
【０００１】
本発明は、複数のサブコネクタを収容した一方のコネクタ部と、これに嵌合される他方のコネクタ部とを備えたコネクタに関する。
【背景技術】
【０００２】
この種のコネクタが従来より提案されている（例えば、特許文献１参照）。かかるコネクタの一従来例として、図２０〜図３０に示すものがある。
【０００３】
このコネクタ１００は、図２０に示すように、互いに嵌合される一対の第１コネクタ部１１０及び第２コネクタ部１２０を備えている。第１コネクタ部１１０は、相手ハウジング嵌合室１１１を有し、 相手ハウジング嵌合室１１１に雄型の第１端子１１２が配置された複数の第１サブハウジング１１３と、周壁１１４で囲まれた複数のサブハウジング収容室１１５を有し、各サブハウジング収容室１１５に各第１サブハウジング１１３が収容された第１メインハウジング１１６とを備えている。
【０００４】
この第１メインハウジング１１６は、図２２（ａ）、（ｂ）、図２３（ａ）、（ｂ）及び図２４に示すように、各サブハウジング収容室１１５が周囲を周壁１１４により格子状に囲まれている。
【０００５】
第２コネクタ部１２０は、第１サブハウジング１１３の各相手ハウジング嵌合室１１１に嵌合可能な複数のサブハウジング嵌合部１２１を有し、各サブハウジング嵌合部１２１内に雌型の第２端子１２２が収容された第２ハウジング１２３と、この第２ハウジング１２３に回動可能に設けられるレバー１２４とを備えている。第１端子１１２及び第２端子１２２は、それぞれ電線１１２ａ、１２２ａに接続される。
【０００６】
次に、第１コネクタ部１１０及び第２コネクタ部１２０の各組み付け作業と、第１コネクタ部１１０及び第２コネクタ部１２０間の嵌合作業を説明する。第１サブハウジング１１３に第１端子１１２を収容する。次に、図２１（ａ）の矢印で示すように、第１サブハウジング１１３を第１メインハウジング１１６の後面側から挿入し、図２１（ｂ）に示すように、第１サブハウジング１１３を移動端部まで押し込む。これにより、第１メインハウジング１１６の係止爪１１７が第１サブハウジング１１３の被係止部１１８を係止し、第１サブハウジング１１３が第１メインハウジング１１６に固定される。
【０００７】
又、図２５（ａ）の矢印で示すように、第２ハウジング１２３の後面側から第２端子１２２を挿入し、図２５（ｂ）に示すように、第２端子１２２を移動端部まで押し込む。これにより、第２ハウジング１２３の端子ランス１２５が第２端子１２２の被係止部１２６を係止し、第２端子１２２が第２ハウジング１２３に固定される。
【０００８】
次に、図２６（ａ）の矢印で示すように、第２ハウジング１２３の後面側からレバー１２４を装着し、図２６（ｂ）に示すように、第２ハウジング１２３の上面と下面より上下方向に突出する一対の突起１２７をレバー１２４の回転中心孔１２８にそれぞれ係合させることにより、一対の突起１２７を回転支点としてレバー１２４が回動可能となる。
【０００９】
次に、図２７に示すように、第１メインハウジング１１６の正面側と第２ハウジング１２３の正面側とを対向させて、図２８に示すように、第１メインハウジング１１６に第２ハウジング１２３を途中まで挿入する。次に、第２ハウジング１２３に設けられるレバー１２４を図２８の矢印で示す方向（同図２８の時計方向）に回動することにより、図２９に示すように、第２ハウジング１２３を移動端部まで押し込む。これにより、第２ハウジング１２３のサブハウジング嵌合部１２１が第１サブハウジング１１３の相手ハウジング嵌合室１１１に嵌合し、第１端子１１２と第２端子１２２が接続される。
【先行技術文献】
【特許文献】
【００１０】
【特許文献１】特許第３９４８５２８号公報
【発明の概要】
【発明が解決しようとする課題】
【００１１】
しかしながら、前記従来例では、図２３（ａ）、（ｂ）に示すように、サブハウジング収容室１１５に第１サブハウジング１１３を収容した場合、各サブハウジング収容室１１５が周囲を周壁１１４により格子状に囲まれ、第１サブハウジング１１３が周壁１１４で規制されてほぼリジット状態となるため、第１コネクタ部１１０及び第２コネクタ部１２０を互いに嵌合するとき、第１サブハウジング１１３の相手ハウジング嵌合室１１１に第２ハウジング１２３のサブハウジング嵌合部１２１が斜め方向で挿入されると、双方のコネクタ部１１０，１２０間のコネクタ挿入力が高くなる恐れがあった。
【００１２】
つまり、図２８、図３０（ａ）に示すように、第１メインハウジング１１６に第２ハウジング１２３を組付ける際、第２ハウジング１２３が傾いた状態で挿入されると、図３０（ｂ）に示すように、第２端子１２２のバネ接触片１２９のバネ変形量（バネ撓み量）Ｓが増大する。ここで、図３０（ａ）に示すように、第１メインハウジング１１６の周壁１１４と第１サブハウジング１１３の外壁との間には、僅かなクリアランスしか存在しない。そして、第１サブハウジング１１３は、第１メインハウジング１１６と第２コネクタ部１２０のサブハウジング嵌合部１２１に対して図３０（ａ）に示す規制ポイントＲ１〜Ｒ３によりほぼリジットな状態となる。従って、第１サブハウジング１１３がバネ接触片１２９のバネ変形量Ｓを軽減する方向にほとんど変移できないため、第１端子１１２及び第２端子１２２間の挿入力も軽減されない。この結果、コネクタ挿入力が高くなるという問題があった。
【００１３】
そこで、未発明は、前記した課題を解決すべくなされたものであり、コネクタ部間が斜め方向で挿入された場合でも、できるだけ低挿入力でコネクタ部を挿入できるコネクタを提供することを目的とする。
【課題を解決するための手段】
【００１４】
本発明は、相手ハウジング嵌合室を有し、 前記相手ハウジング嵌合室に第１端子が配置された複数の第１サブハウジングと、周壁で囲まれた複数のサブハウジング収容室を有し、前記各サブハウジング収容室に前記各第１サブハウジングが収容された第１メインハウジングと、前記第１サブハウジングの前記各相手ハウジング嵌合室に嵌合可能な複数のサブハウジング嵌合部を有し、前記各サブハウジング嵌合部内に第２端子が収容された第２ハウジングとを備え、複数の前記第１サブハウジングが固定された前記第１メインハウジングと前記第２ハウジングとの嵌合状態では、前記サブハウジング嵌合部が前記第１サブハウジングの相手ハウジング嵌合室に嵌合し、前記第１端子と前記第２端子がバネ変形によって接続されるコネクタであって、前記第１メインハウジングの前記サブハウジング収容室を形成する前記周壁で、且つ、前記第２ハウジングの前記サブハウジング嵌合部の進入側の少なくとも１面側を切り欠いたことを特徴とするコネクタである。
【００１５】
前記周壁の切り欠き面は、前記第１端子と前記第２端子の接触時のバネ変形量を軽減する方向の面であることが好ましい。前記第１メインハウジングの複数の前記サブハウジング収容室は、前記周壁を共有することにより隣り合って配置され、複数の前記サブハウジング収容室を形成する前記周壁の内で外側に位置する面を形成するものを切り欠いたものを含む。前記サブハウジング嵌合部の進入側の内で切り欠かなかった前記周壁と前記第１サブハウジングには、前記第１サブハウジングの進入を許容し、且つ、前記第１サブハウジングの許容傾斜範囲でのみ傾斜を許容する過剰傾斜規制手段が設けられたものを含む。
【発明の効果】
【００１６】
本発明によれば、第１サブハウジングの相手ハウジング嵌合室に第２ハウジングのサブハウジング嵌合部が斜め方向で挿入されると、第１サブハウジングが周壁の切り欠きによるクリアランスによって、コネクタ間の挿入嵌合力を弱める方向に変移でき、コネクタ挿入力を極力低減できる。従って、第２ハウジングのサブハウジング嵌合部が斜め方向に挿入された場合であってもコネクタ挿入力を極力低減できる。
【図面の簡単な説明】
【００１７】
【図１】本発明の第１実施形態を示し、コネクタの分解斜視図である。
【図２】本発明の第１実施形態を示し、（ａ）は第１メインハウジングに第１サブハウジングを組付ける前の状態の断面図、（ｂ）は第１メインハウジングに第１サブハウジングを組付けた状態の断面図である。
【図３】本発明の第１実施形態を示し、（ａ）は第１メインハウジングに第１サブハウジングを組付けた状態の正面図、（ｂ）は図３（ａ）のＡ２−Ａ２線に沿う断面図である。
【図４】本発明の第１実施形態を示し、（ａ）は図２（ａ）のＡ１−Ａ１線に沿う断面図、（ｂ）は図４（ａ）のＢ部の拡大断面図である。
【図５】本発明の第１実施形態を示し、第１メインハウジングに第１サブハウジングを組付けた状態の斜視図である。
【図６】本発明の第１実施形態を示し、（ａ）は第２ハウジングに第２端子を組付ける前の状態の断面図、（ｂ）は第２ハウジングに第２端子を組付けた状態の断面図である。
【図７】本発明の第１実施形態を示し、第１コネクタ部及び第２コネクタ部を嵌合する前の状態の断面図である。
【図８】本発明の第１実施形態を示し、第１コネクタ部及び第２コネクタ部を嵌合する途中の状態の断面図である。
【図９】本発明の第１実施形態を示し、第１コネクタ部及び第２コネクタ部を嵌合した状態の断面図である。
【図１０】本発明の第１実施形態を示し、（ａ）は図８のＣ部の拡大断面図、（ｂ）は図１０（ａ）のＤ部の拡大断面図である。
【図１１】本発明の第２実施形態を示し、コネクタの分解斜視図である。
【図１２】本発明の第２実施形態を示し、第１メインハウジングに第１サブハウジングを組付ける途中の状態の斜視図である。
【図１３】本発明の第２実施形態を示し、（ａ）は第１メインハウジングに第１サブハウジングを組付ける前の状態の断面図、（ｂ）は第１メインハウジングに第１サブハウジングを組付けた状態の断面図である。
【図１４】本発明の第２実施形態を示し、（ａ）は第１メインハウジングに第１サブハウジングを組付けた状態の後面図、（ｂ）は図１４（ａ）のＥ部の拡大後面図である。
【図１５】本発明の第２実施形態を示し、（ａ）は第１メインハウジングに第１サブハウジングを組付けた状態の正面図、（ｂ）は図１５（ａ）のＦ−Ｆ線に沿う断面図である。
【図１６】本発明の第２実施形態を示し、第１メインハウジングに第１サブハウジングを組付けた状態の斜視図である。
【図１７】本発明の第２実施形態を示し、（ａ）は図１５（ｂ）のＧ部の拡大断面図、（ｂ）は図１７（ａ）のＨ−Ｈ線に沿う断面図である。
【図１８】本発明の第２実施形態を示し、第１コネクタ部及び第２コネクタ部を嵌合する途中の状態の断面図である。
【図１９】本発明の第２実施形態を示し、（ａ）は図１８のＩ部の拡大断面図、（ｂ）は図１９（ａ）のＪ−Ｊ線に沿う断面図、（ｃ）は図１９（ａ）のＫ部の拡大断面図である。
【図２０】一従来例を示し、コネクタの分解斜視図である。
【図２１】一従来例を示し、（ａ）は第１メインハウジングに第１サブハウジングを組付ける前の状態の断面図、（ｂ）は第１メインハウジングに第１サブハウジングを組付けた状態の断面図である。
【図２２】一従来例を示し、（ａ）は図２１（ａ）のＬ１−Ｌ１線に沿う断面図、（ｂ）は図２２（ａ）のＬ２部の拡大断面図である。
【図２３】一従来例を示し、（ａ）は第１メインハウジングの正面図、（ｂ）は図２３（ａ）のＭ−Ｍ線に沿う断面図である。
【図２４】一従来例を示し、第１メインハウジングに第１サブハウジングを組付けた状態の斜視図である。
【図２５】一従来例を示し、（ａ）は第２ハウジングに第２端子を組付ける前の状態の断面図、（ｂ）は第２ハウジングに第２端子を組付けた状態の断面図である。
【図２６】一従来例を示し、（ａ）は第２ハウジングにレバーを組付ける前の状態の平面図、（ｂ）は第２ハウジングにレバーを組付けた状態の平面図である。
【図２７】一従来例を示し、第１コネクタ部及び第２コネクタ部を嵌合する前の状態の断面図である。
【図２８】一従来例を示し、第１コネクタ部及び第２コネクタ部を嵌合する途中の状態の断面図である。
【図２９】一従来例を示し、第１コネクタ部及び第２コネクタ部を嵌合した状態の断面図である。
【図３０】一従来例を示し、（ａ）は図２８のＮ部の拡大断面図、（ｂ）は図３０（ａ）のＰ部の拡大断面図である。
【発明を実施するための形態】
【００１８】
以下、本発明の実施形態を図面に基づいて説明する。
【００１９】
（第１実施形態）
図１〜図１０は本発明の第１実施形態を示す。コネクタ１Ａは、図１に示すように、互いに嵌合される一対の第１コネクタ部２及び第２コネクタ部２０を備えている。
【００２０】
第１コネクタ部２は、相手ハウジング嵌合室１０を有する複数の第１サブハウジング４と、外周に形成される外壁６及びこの外壁６より内側の周壁（内壁）７で囲まれた複数のサブハウジング収容室８を有し、各サブハウジング収容室８に各第１サブハウジング４が収容された第１メインハウジング３と、各相手ハウジング嵌合室１０に配置された複数の雄型の第１端子５とを備えている。
【００２１】
第１メインハウジング３は、第１サブハウジング４に係合する第１係止爪９ａと、第２コネクタ部２０の第２ハウジング２１に係合する第２係止爪９ｂとを有する。第１サブハウジング４は、第１端子５の被係止部１３を係止する端子ランス１１と、第１係止爪９ａにより係止される被係止部１４とを有する。第１端子５は、先端に雄タブ１２を有し、後端側が電線５ａに接続され、中間部に、端子ランス１１により係止される被係止部１３が設けられている。
【００２２】
第１メインハウジング３のサブハウジング収容室８は、左右方向に３つ並列されると共に、上下方向に２段に配置された状態で、計６つ設けられている。６つのサブハウジング収容室８は、隣り合う周壁７を共有することにより集合配置されている。６つのサブハウジング収容室８を構成する周壁７は、外周側に位置し、且つ、第２ハウジング２１のサブハウジング嵌合部２２の進入側が切り欠かれている（切り欠き領域は、図４（ａ）、（ｂ）にて符号４０で示す）。図４（ａ）において、左側に位置するサブハウジング収容室８の切り欠かれた面は、第１端子５と第２端子３０の接触時のバネ変形量を軽減する方向の面を含む。換言すれば、第１端子５と第２端子３０の接触時のバネ変形量を軽減する方向が周壁７の外側面になるよう第１端子５及び第２端子３０の向きが設定されている。これにより、６つの各第１サブハウジング４は、周壁７の切り欠きによる隙間（クリアランス）ａを利用して傾斜できるようサブハウジング収容室８に収容されている。
【００２３】
具体的には、上段に位置する３つの第１サブハウジング４は、少なくとも上方への傾斜が可能で、下段に位置する他の３つの第１サブハウジング４は、少なくとも下方への傾斜が可能である。これに加えて、左右方向の両端に位置する４つの第１サブハウジング４は、左右の一方への傾斜が可能である。例えば、図１０（ａ）に示す右端の第１サブハウジング４とサブハウジング嵌合部２２との間には、切り欠きによる隙間（クリアランス）ａが形成され、第１サブハウジング４の嵌合先端が左右の外向き（第２端子３０の接触時のバネ変形量を軽減する方向）に傾斜できる。
【００２４】
第２コネクタ部２０は、第１サブハウジング４の各相手ハウジング嵌合室１０に嵌合可能な複数のサブハウジング嵌合部２２を有する第２ハウジング２１と、各サブハウジング嵌合部２２内に収容される雌型の第２端子３０とを備えている。
【００２５】
第２ハウジング２１は、第２端子３０の被係止部３３を係止する端子ランス２３と、第２係止爪９ｂを係止する係止爪２４とを有する。第２端子３０は、先端に、バネ接触片３２を備えた相手端子接続部３１を有し、後端側が電線３０ａに接続され、中間部に、第２ハウジング２１の端子ランス２３により係止される被係止部３３が設けられている。
【００２６】
次に、第１コネクタ部２及び第２コネクタ部２０の各組み付け作業と、第１コネクタ部２及び第２コネクタ部２０間の嵌合作業を説明する。第１サブハウジング４の後面側から第１端子５を挿入して移動端部まで押し込むと、第１サブハウジング４の端子ランス１１が第１端子５の被係止部１３を係止する。これにより、第１端子５が第１サブハウジング４に固定される。次に、図２（ａ）に示すように、第１メインハウジング３の後面側から第１サブハウジング４を挿入する。図２（ｂ）に示すように、第１サブハウジング４を移動端部まで押し込むと、第１メインハウジング３の第１係止爪９ａが第１サブハウジング４の被係止部１４に係止する。これにより、第１サブハウジング４が第１メインハウジング３に固定される。
【００２７】
次に、図６（ａ）の矢印で示すように、第２ハウジング２１の後面側から第２端子３０を挿入する。図６（ｂ）に示すように、第２端子３０を移動端部まで押し込むと、第２ハウジング２１の端子ランス２３が第２端子３０の被係止部３３を係止する。これにより、第２端子３０が第２ハウジング２１に固定される。
【００２８】
次に、上記のようにして組み立てた第１コネクタ部２及び第２コネクタ部２０を互いに嵌合する。具体的には、図７に示すように、第１メインハウジング３の正面側と第２ハウジング２１の正面側とを対向させて、図８に示すように、第１メインハウジング３に第２ハウジング２１を挿入する。図９に示すように、第２ハウジング２１を移動端部まで押し込む。これにより、第２ハウジング２１のサブハウジング嵌合部２２が第１サブハウジング４の相手ハウジング嵌合室１０に嵌合し、第１端子５と第２端子３０が互いに接続される。このとき、第１メインハウジング３の第２係止爪９ｂが第２ハウジング２１の係止爪２４を係止することにより、第２ハウジング２１が第１メインハウジング３に固定される。
【００２９】
上記コネクタ嵌合過程にあって、第１メインハウジング３に第２ハウジング２１を斜め挿入されると、第１サブハウジング４の相手ハウジング嵌合室１０に第２ハウジング２１のサブハウジング嵌合部２２が斜め方向で挿入される。すると、図１０（ｂ）に示すように、第２端子３０のバネ接触片３２のバネ変形量（バネ撓み量）Ｓが増大する。ここで、図１０（ａ）に示すように、第１サブハウジング４が周壁７の切り欠き４０によるクリアランスａが存在するため、第１サブハウジング４はそのクリアランスａによって斜め傾斜可能（図８、図１０（ａ）のＲ矢印方向）であり、コネクタ間の挿入嵌合力を弱める方向に変移でき、コネクタ挿入力を極力低減できる。
【００３０】
左端に位置する第１サブハウジング４は、周壁７の切り欠き４０によるクリアランスａによって、第２端子３０のバネ接触片３２のバネ変形量Ｓを軽減する方向に変移する（図１０（ｂ）のＲ矢印方向）。これにより、第１端子５及び第２端子３０間の挿入力も軽減される。従って、第２ハウジング２１のサブハウジング嵌合部２２が斜め方向に挿入された場合であってもコネクタ挿入力を極力低減できる。
【００３１】
コネクタ嵌合が進むと、第１コネクタ部２と第２コネクタ部２０間の傾斜が徐々に解消される。すると、第１サブハウジング４も傾斜姿勢を徐々に戻す方向に変移し、第１コネクタ部２と第２コネクタ部２０が完全に嵌合された状態では適正な姿勢（傾斜しない）となる。
【００３２】
周壁７の内で外周に位置する面を形成するものがないため、コネクタ１Ａの小型化、軽量化に寄与する。また、周壁７の内で外周に位置する面を形成するものがないことにより、周壁７が弾性変形し易い構造となるため、周壁７の切り欠き４０によるクリアランスによって第１サブハウジング４が追従傾斜することに加えて、周壁７の弾性変形によっても第１サブハウジング４の傾斜を許容することができる。
【００３３】
（第２実施形態）
図１１〜図１９は本発明の第２実施形態を示す。この第２実施形態のコネクタ１Ｂは、第１実施形態のコネクタ１Ａと比べて、第２ハウジング２１のサブハウジング嵌合部２２の進入側の内で切り欠かなかった周壁７と第１サブハウジング４に、過剰傾斜規制手段５０が設けられたことが異なっており、その他の構成は基本的に同様である。なお、図１１〜図１９において前述した図１〜図１０に示すものと同様のものには同一符号を付してある。
【００３４】
傾斜規制手段５０は、第１メインハウジング３の周壁７と第１サブハウジング４の互いに直交する２面にそれぞれ設けられ、第１サブハウジング４の進入を許容し、且つ、第１サブハウジング４の許容傾斜範囲でのみ傾斜を許容する。具体的には、傾斜規制手段５０が、上段に位置する３つの第１サブハウジング４の下面側と、下段に位置する他の３つの第１サブハウジング４の上面側とに設けられている。これに加えて、傾斜規制手段５０が、左右方向の両端に位置する４つの第１サブハウジング４の左右方向の内側にも設けられている。また、各傾斜規制手段５０は、第１サブハウジング４の進入方向に沿って周壁７に形成されるアリ溝５１と、第１サブハウジング４より突出し、アリ溝５１に嵌合するアリ突起５２とから構成されている。これらのアリ溝５１及びアリ突起５２間には、所定のクリアランスが設けられているので、上記のように、第１サブハウジング４がサブハウジング収容室８内に進入可能で、且つ、第１サブハウジング４の傾斜が許容傾斜範囲で可能である。
【００３５】
上記構成において、図１３（ａ）、（ｂ）に示すように、第１サブハウジング４の後面側から第１端子５を挿入して移動端部まで押し込むと、第１サブハウジング４の端子ランス１１が第１端子５の被係止部１３を係止することにより、第１端子５が第１サブハウジング４に固定される。次に、図１２に示すように、第１メインハウジング３の後面側から第１サブハウジング４を挿入すると共に、図１４〜図１６に示すように、第１メインハウジング３の周壁７に形成されるアリ溝５１に第１サブハウジング４のアリ突起５２を係合させて、第１サブハウジング４を移動端部まで押し込むと、第１メインハウジング３の第１係止爪９ａが第１サブハウジング４の被係止部１４を係止することにより、第１サブハウジング４が第１メインハウジング３に固定される。このとき、第１メインハウジング３の周壁７に形成されるアリ溝５１に第１サブハウジング４のアリ突起５２を係合させたので、第１サブハウジング４はアリ溝５１に沿って進入が許容され、且つ、第１サブハウジング４は、許容傾斜範囲での傾斜を許容される。例えば、左端に位置する第１サブハウジング４は、図１７の（ａ）、（ｂ）のＲ矢印方向及びＳ矢印方向に傾斜できる。
【００３６】
また、第１コネクタ部２と第２コネクタ部２０を互いに嵌合するには、第１サブハウジング４はそのクリアランスａによって斜め傾斜可能であるが、その傾斜許容範囲が制限されている。従って、図１９（ａ）、（ｃ）に示すように、第１サブハウジング４が過剰傾斜することによる、第１サブハウジング４の先端面と第２ハウジング２１のサブハウジング嵌合部２２の先端面が干渉を防止できる。つまり、図１９（ａ）、（ｂ）に示すように、第１サブハウジング４の相手ハウジング嵌合室１０に第２ハウジング２１のサブハウジング嵌合部２２が斜め方向で挿入されても、第１サブハウジング４の傾斜が傾斜規制手段５０により上記許容傾斜範囲を越えないように規制されるので、第１サブハウジング４の過大傾斜を防止できる。これにより、第１サブハウジング４の先端面と第２ハウジング２１のサブハウジング嵌合部２２の先端面との干渉することなく挿入できる。
【００３７】
以上より、第２ハウジング２１のサブハウジング嵌合部２２が斜め方向に挿入された場合であってもコネクタ挿入力を極力低減でき、しかも、第１サブハウジング４と第２ハウジング２１間の挿入先端間の干渉（どつき）を抑制できる。
【００３８】
過剰傾斜規制手段５０は、第１メインハウジング３の周壁７の切り欠き側に対向する周壁７にそれぞれ設けられているので、第１サブハウジング４の傾斜可能な全ての方向の過大傾斜を防止できる。
【符号の説明】
【００３９】
１Ａ、１Ｂ  コネクタ
３  第１メインハウジング
４  第１サブハウジング
５  第１端子
７  周壁
８  サブハウジング収容室
１０  相手ハウジング嵌合室
２１  第２ハウジング
２２  サブハウジング嵌合部
３０  第２端子
５０  過剰傾斜規制手段
【図１】
2015049964.tif 000003
【図２】
2015049964.tif 000004
【図３】
2015049964.tif 000005
【図４】
2015049964.tif 000006
【図５】
2015049964.tif 000007
【図６】
2015049964.tif 000008
【図７】
2015049964.tif 000009
【図８】
2015049964.tif 000010
【図９】
2015049964.tif 000011
【図１０】
2015049964.tif 000012
【図１１】
2015049964.tif 000013
【図１２】
2015049964.tif 000014
【図１３】
2015049964.tif 000015
【図１４】
2015049964.tif 000016
【図１５】
2015049964.tif 000017
【図１６】
2015049964.tif 000018
【図１７】
2015049964.tif 000019
【図１８】
2015049964.tif 000020
【図１９】
2015049964.tif 000021
【図２０】
2015049964.tif 000022
【図２１】
2015049964.tif 000023
【図２２】
2015049964.tif 000024
【図２３】
2015049964.tif 000025
【図２４】
2015049964.tif 000026
【図２５】
2015049964.tif 000027
【図２６】
2015049964.tif 000028
【図２７】
2015049964.tif 000029
【図２８】
2015049964.tif 000030
【図２９】
2015049964.tif 000031
【図３０】
2015049964.tif 000032